(57)【要約】【課題】使用者が電気掃除機を持ち上げることなく電気掃除機スタンドに電気掃除機を置くことができ、かつ、この動作により吸込具のブラシを清掃すること等が可能な電気掃除機スタンドを提供する。【解決手段】この発明に係る電気掃除機スタンド２０は、例えば、電気掃除機を直立した状態で支持するための支柱部２２と、支柱部２２を支持する台座部２１と、台座部２１の一端側に設けられ、上側に電気掃除機１の吸込具１０が載置されるための載置部２６と、載置部２６の台座部２１とは反対側に設けられ、載置部２６から離れるに従って次第に低くなる傾斜部２７と、傾斜部２７の取付面部２９に設けられ、吸込具１０の底面に形成された開口に臨んで設けられた回転ブラシ４５を吸込具１０の底面側から清掃する回転ブラシ清掃部３０と、を備える。【選択図】図９
2018149162.tif 000002
【特許請求の範囲】
【請求項１】
電気掃除機を直立した状態で支持するための支柱部と、
前記支柱部を支持する台座部と、
前記台座部の一端側に設けられ、上側に前記電気掃除機の吸込具が載置されるための載置部と、
前記載置部の前記台座部とは反対側に設けられ、前記載置部から離れるに従って次第に低くなる傾斜部と、
前記傾斜部の取付面部に設けられ、前記吸込具の底面に形成された開口に臨んで設けられた回転ブラシ又は前記吸込具の底面に形成されたブラシを前記吸込具の前記底面側から清掃する清掃手段と、を備えた電気掃除機スタンド。
【請求項２】
電気掃除機を直立した状態で支持するための支柱部と、
前記支柱部を支持する台座部と、
前記台座部の一端側に設けられ、上側に前記電気掃除機の吸込具が載置されるための載置部と、
前記載置部の取付面部に設けられ、前記吸込具の底面に形成された開口に臨んで設けられた回転ブラシ又は前記吸込具の底面に形成されたブラシを前記吸込具の前記底面側から清掃する清掃手段と、を備え、
前記支柱部は、前記吸込具の前側が前記台座部の方を向いた状態の前記電気掃除機を支持可能に設けられ、
前記清掃手段は、前記支柱部が前記電気掃除機を支持し、前記吸込具が前記載置部の上面に載置された状態にある前記吸込具の開口の下に少なくとも配置される位置に設けられる電気掃除機スタンド。
【請求項３】
電気掃除機を直立した状態で支持するための支柱部と、
前記支柱部を支持する台座部と、
前記台座部の一端側に設けられ、上側に前記電気掃除機の吸込具が載置されるための載置部と、
前記載置部の前記台座部とは反対側に設けられ、前記載置部から離れるに従って次第に低くなる傾斜部と、
前記載置部から前記傾斜部にわたって連続する取付面部に設けられ、前記吸込具の底面に形成された開口に臨んで設けられた回転ブラシを前記吸込具の前記底面側から清掃する清掃手段と、を備え、
前記清掃手段の前記載置部から前記傾斜部にわたる長さは、前記回転ブラシの周長以上である電気掃除機スタンド。
【請求項４】
前記清掃手段は、前記取付面部に固定された植毛を備えた請求項１から請求項３のいずれか一項に記載の電気掃除機スタンド。
【請求項５】
前記清掃手段は、前記取付面部に形成された鋸歯状面部を備えた請求項１から請求項３のいずれか一項に記載の電気掃除機スタンド。
【請求項６】
前記清掃手段は、前記取付面部に形成された櫛歯状面部を備えた請求項１から請求項３のいずれか一項に記載の電気掃除機スタンド。
【請求項７】
前記清掃手段は、前記取付面部に対して回転可能に取り付けられたローラを備えた請求項１から請求項３のいずれか一項に記載の電気掃除機スタンド。
【請求項８】
前記清掃手段は、前記取付面部に対して回転可能に取り付けられたブラシを備えた請求項１から請求項３のいずれか一項に記載の電気掃除機スタンド。
【請求項９】
前記清掃手段は、粘着性を有するシートを備えた請求項１から請求項３のいずれか一項に記載の電気掃除機スタンド。
【請求項１０】
前記清掃手段は、前記取付面部に着脱可能に取り付けられる請求項１から請求項９のいずれか一項に記載の電気掃除機スタンド。
【発明の詳細な説明】
【技術分野】
【０００１】
この発明は、電気掃除機スタンドに関するものである。
【背景技術】
【０００２】
掃除機のノズル（吸込具）のクリーニング装置（電気掃除機スタンド）においては、掃除機ノズルを受けるためのソケットと、ソケット内に配置され、掃除機ノズルの回転部材（回転ブラシ）に回転部材の回転中に絡みついた物を取り除くための少なくとも１つのクリーニング部材と、を備え、クリーニング部材がソケット内で下げられる休止位置と、クリーニング部材がソケットから上昇されて掃除機の回転部材と協働し、絡みついた物を取り除くクリーニング位置との間で旋回移動させるように構成されたものが知られている（例えば、特許文献１参照）。
【先行技術文献】
【特許文献】
【０００３】
【特許文献１】特表２０１５−５０６７６３号公報
【発明の概要】
【発明が解決しようとする課題】
【０００４】
しかしながら、特許文献１に示されるような電気掃除機スタンドは、吸込具の下側からクリーニング部材を回転ブラシに接触させて回転ブラシに絡みついた物を取り除くものである。このため、吸込具を清掃できるように電気掃除機スタンドに電気掃除機を置くために、使用者が電気掃除機を持ち上げなければならない。
【０００５】
この発明は、このような課題を解決するためになされたものである。その目的は、使用者が電気掃除機を持ち上げることなく電気掃除機スタンドに電気掃除機を置くことができ、かつ、この電気掃除機スタンドに電気掃除機を置く動作により、吸込具のブラシを清掃することができる、又は、吸込具のブラシを清掃可能な状態にすることができる電気掃除機スタンドを得ることにある。
【課題を解決するための手段】
【０００６】
この発明に係る電気掃除機スタンドは、電気掃除機を直立した状態で支持するための支柱部と、前記支柱部を支持する台座部と、前記台座部の一端側に設けられ、上側に前記電気掃除機の吸込具が載置されるための載置部と、前記載置部の前記台座部とは反対側に設けられ、前記載置部から離れるに従って次第に低くなる傾斜部と、前記傾斜部の取付面部に設けられ、前記吸込具の底面に形成された開口に臨んで設けられた回転ブラシ又は前記吸込具の底面に形成されたブラシを前記吸込具の前記底面側から清掃する清掃手段と、を備える。
【０００７】
または、この発明に係る電気掃除機スタンドは、電気掃除機を直立した状態で支持するための支柱部と、前記支柱部を支持する台座部と、前記台座部の一端側に設けられ、上側に前記電気掃除機の吸込具が載置されるための載置部と、前記載置部の取付面部に設けられ、前記吸込具の底面に形成された開口に臨んで設けられた回転ブラシ又は前記吸込具の底面に形成されたブラシを前記吸込具の前記底面側から清掃する清掃手段と、を備え、前記支柱部は、前記吸込具の前側が前記台座部の方を向いた状態の前記電気掃除機を支持可能に設けられ、前記清掃手段は、前記支柱部が前記電気掃除機を支持し、前記吸込具が前記載置部の上面に載置された状態にある前記吸込具の開口の下に少なくとも配置される位置に設けられる。
【０００８】
または、この発明に係る電気掃除機スタンドは、電気掃除機を直立した状態で支持するための支柱部と、前記支柱部を支持する台座部と、前記台座部の一端側に設けられ、上側に前記電気掃除機の吸込具が載置されるための載置部と、前記載置部の前記台座部とは反対側に設けられ、前記載置部から離れるに従って次第に低くなる傾斜部と、前記載置部から前記傾斜部にわたって連続する取付面部に設けられ、前記吸込具の底面に形成された開口に臨んで設けられた回転ブラシを前記吸込具の前記底面側から清掃する清掃手段と、を備え、前記清掃手段の前記載置部から前記傾斜部にわたる長さは、前記回転ブラシの周長以上である。
【発明の効果】
【０００９】
この発明に係る電気掃除機スタンドは、使用者が電気掃除機を持ち上げることなく電気掃除機スタンドに電気掃除機を置くことができ、かつ、この電気掃除機スタンドに電気掃除機を置く動作により、吸込具のブラシを清掃することができる、又は、吸込具のブラシを清掃可能な状態にすることができるという効果を奏する。
【図面の簡単な説明】
【００１０】
【図１】この発明の実施の形態１に係る電気掃除機の使用時の状態を示す斜視図である。
【図２】この発明の実施の形態１に係る電気掃除機が備える吸込具の上方斜視図である。
【図３】この発明の実施の形態１に係る電気掃除機が備える吸込具の下方斜視図である。
【図４】この発明の実施の形態１に係る電気掃除機スタンドの斜視図である。
【図５】この発明の実施の形態１に係る電気掃除機スタンドの要部を拡大した側面図である。
【図６】この発明の実施の形態１に係る電気掃除機スタンドに電気掃除機を載置した状態の斜視図である。
【図７】この発明の実施の形態２に係る電気掃除機スタンドの要部を拡大した斜視図である。
【図８】この発明の実施の形態２に係る電気掃除機スタンドの清掃手段を拡大した斜視図である。
【図９】この発明の実施の形態２に係る電気掃除機スタンドに吸込具を載置した状態の要部を拡大して示す断面図である。
【図１０】この発明の実施の形態３に係る電気掃除機スタンドの要部を拡大した斜視図である。
【図１１】この発明の実施の形態３に係る電気掃除機スタンドの清掃手段を拡大した斜視図である。
【図１２】この発明の実施の形態３に係る電気掃除機スタンドに吸込具を載置した状態の要部を拡大して示す断面図である。
【図１３】この発明の実施の形態４に係る電気掃除機スタンドの要部を拡大した斜視図である。
【図１４】この発明の実施の形態４に係る電気掃除機スタンドの清掃手段を拡大した斜視図である。
【図１５】この発明の実施の形態４に係る電気掃除機スタンドに吸込具を載置した状態の要部を拡大して示す断面図である。
【図１６】この発明の実施の形態４に係る電気掃除機スタンドに吸込具を載置した状態の要部の別例を拡大して示す断面図である。
【図１７】この発明の実施の形態５に係る電気掃除機スタンドの要部を拡大した斜視図である。
【図１８】この発明の実施の形態５に係る電気掃除機スタンドの清掃手段を拡大した斜視図である。
【図１９】この発明の実施の形態５に係る電気掃除機スタンドに吸込具を載置した状態の要部を拡大して示す断面図である。
【図２０】この発明の実施の形態６に係る電気掃除機スタンドの要部を拡大した斜視図である。
【図２１】この発明の実施の形態６に係る電気掃除機スタンドの清掃手段を拡大した斜視図である。
【図２２】この発明の実施の形態６に係る電気掃除機スタンドに吸込具を載置した状態の要部を拡大して示す断面図である。
【図２３】この発明の実施の形態７に係る電気掃除機スタンドの要部を拡大した斜視図である。
【図２４】この発明の実施の形態７に係る電気掃除機スタンドの清掃手段を拡大した斜視図である。
【図２５】この発明の実施の形態７に係る電気掃除機スタンドに吸込具を載置した状態の要部を拡大して示す断面図である。
【発明を実施するための形態】
【００１１】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１２】
実施の形態１．
図１から図６は、この発明の実施の形態１に係るもので、図１は電気掃除機の使用時の状態を示す斜視図、図２は電気掃除機が備える吸込具の上方斜視図、図３は電気掃除機が備える吸込具の下方斜視図、図４は電気掃除機スタンドの斜視図、図５は電気掃除機スタンドの要部を拡大した側面図、図６は電気掃除機スタンドに電気掃除機を載置した状態の斜視図である。
【００１３】
この発明の実施の形態１に係る電気掃除機システム１００は、電気掃除機１と電気掃除機スタンド２０とから構成されている。まず、図１を参照して、電気掃除機１の構成について説明する。以下の説明では、塵埃及びその他のゴミを総称して単に「塵埃」と呼ぶ場合がある。また、塵埃が混じった空気を「含塵空気」と呼ぶ場合がある。そして、塵埃が取り除かれた空気を「清浄空気」と呼ぶ場合がある。
【００１４】
電気掃除機１は、コードレスタイプの縦型電気掃除機である。図１に示すように、電気掃除機１は、筐体２、電動送風機３、バッテリー４、筒状部５、集塵部６、ハンドル７、延長管９及び吸込具１０を備えている。電動送風機３は、筐体２の内部に収容されている。電動送風機３は、塵埃を吸い込むための気流を発生させる。バッテリー４は、電動送風機３を駆動するための電源となる。バッテリー４は、充電可能な二次電池である。
【００１５】
筒状部５は、塵埃を吸い込むための接続口８を有する。接続口８は、筒状部５の一端に形成された開口である。筒状部５の内部には、接続口８を通過した含塵空気の気流を集塵部６へ導く風路が形成されている。接続口８の開口端縁には、延長管９を接続した際の気密を保つためにパッキン（図示せず）が設けられている。
【００１６】
集塵部６は、塵埃を捕集する。集塵部６は、接続口８から吸い込まれた含塵空気から塵埃を分離し、その塵埃を捕集する。この実施の形態における集塵部６は、サイクロン分離器を備える。なお、サイクロン分離器を有する集塵部６に代えて、例えば、集塵袋によって気流を濾過することで塵埃を捕集する集塵部を備えてもよい。電気掃除機１は、排気口１２を備える。集塵部６にて塵埃が取り除かれた気流は、排気口１２から外部へ排出される。ハンドル７は、使用中に使用者が手で握る部位である。使用者は、ハンドル７を握ることで電気掃除機１を把持する。
【００１７】
以下においては、電気掃除機１が直立した状態において、ハンドル７に対して接続口８が位置する方向を電気掃除機１の「下」とし、その反対側を電気掃除機１の「上」として説明する。また、電気掃除機１が直立した状態において、電気掃除機１の上と下とを結ぶ方向に垂直な方向に関し、バッテリー４、筒状部５及び延長管９がある方を電気掃除機１の「後ろ」とし、その反対側を電気掃除機１の「前」として説明する。
【００１８】
ハンドル７は、電気掃除機１の上側の筐体２の後端面１１に対向する位置から電気掃除機１の前側へと連続して延びている。ハンドル７と、筐体２との間には、空間が形成されている。ハンドル７を握った手の指が、この空間に挿入可能である。
【００１９】
バッテリー４は、筐体２の後ろ側に組みつけられている。バッテリー４は、電動送風機３に対して、電気掃除機１の後ろ側に隣接する。バッテリー４は、筐体２から取り外し可能である。筐体２からバッテリー４を電気掃除機１の下方向へ変位させることでバッテリー４が筐体２から取り外される。また、集塵部６も、筐体２から取り外し可能である。筐体２から集塵部６を電気掃除機１の上方向へ変位させることで集塵部６が筐体２から取り外される。
【００２０】
延長管９は、筒状部５の接続口８に接続されている。延長管９は、直状かつ中空管状の部材である。延長管９の一端部は、筒状部５の接続口８に対して、着脱可能である。延長管９の他端部には、吸込具１０が接続されている。
【００２１】
次に、図２及び図３を参照しながら、電気掃除機１の吸込具１０の構成について、さらに説明する。吸込具１０は、下ケース４１と上ケース４２を組み合わせて外観が構成される。吸込具１０の外観は、横長の直方体状を呈する。吸込具１０の一端側には、関節部１４を介して接続部１３が取り付けられている。接続部１３及び関節部１４は、吸込具１０の長手方向における中央に設けられている。
【００２２】
吸込具１０の接続部１３は、延長管９に接続される。関節部１４は、予め設定された角度範囲で前後方向及び左右方向に吸込具１０に対する接続部１３の向きを変化させることができる。つまり、接続部１３と接続されている延長管９は、吸込具１０に対して、予め設定された角度範囲で前後左右に傾けることが可能である。電気掃除機１の使用者は、例えば、ハンドル７を持って筐体２を傾けた状態で清掃を行う。
【００２３】
吸込具１０の内部には、横長の風路を有する吸込室４４が設けられている。吸込室４４内には回転ブラシ４５が回転自在に収納されている。回転ブラシ４５は、一端が軸受４６に、他端が回転ブラシ保持部４７にそれぞれ軸支されている。
【００２４】
回転ブラシ４５は、吸込具１０に内蔵された駆動手段であるモータ（又はタービン）によって回転駆動される。なお、そのモータは図３に示す部位４８に内蔵されている。モータの駆動力は、例えばベルトを介して回転ブラシ４５に伝達され、回転ブラシ４５を予め設定された方向に回転させる。吸込具１０の底面には吸込室４４の底部開口部４３が形成されている。回転ブラシ４５は、吸込具１０の内部に、底部開口部４３に臨んで設けられている。
【００２５】
吸込具１０の底面には、吸込口４９が設けられている。吸込口４９は、吸込具１０の底面における底部開口部４３の後側に配置されている。吸込口４９は吸込室４４と連通している。また、吸込口４９は、接続部１３にも連通している。
【００２６】
吸込具１０の底部には、支持部材（図示せず）によって支持された車輪５０が設けられている。この支持部材は、吸込具１０に揺動自在に取り付けられている。また、この支持部材は、吸込具１０が床面から浮いている状態においては車輪５０を床面側に突出した状態にし、そして、吸込具１０が着床した状態においては車輪５０が吸込具１０の内側に引っ込んだ状態にするように構成されている。吸込具１０には、車輪５０が引っ込んだときにオンするスイッチ（図示せず）が内蔵されている。このスイッチがオンすることにより、回転ブラシ４５は駆動可能な状態になる。
【００２７】
電動送風機３は、ハンドル７に設けられた操作スイッチ（図示せず）に対する操作に応じて駆動する。電動送風機３が駆動すると、集塵部６、筒状部５、延長管９の内部に吸引力が作用し、吸込具１０から含塵空気が吸い込まれる。この時、回転ブラシ４５が回転し、回転ブラシ４５の回転によって掻き上げられた塵埃等も吸引される。吸込具１０に吸い込まれた含塵空気は、延長管９及び筒状部５を通過して集塵部６の内部に取り込まれる。集塵部６では、含塵空気から塵埃が分離される。集塵部６から排出された清浄空気は、電動送風機３を通過する。電動送風機３を通過した清浄空気は、排気口１２から筐体２の外部に排出される。
【００２８】
なお、図示は省略するが、電気掃除機１は、吸込具１０及び延長管９を取り外して使用することが可能である。筒状部５の下端は、集塵部６の下端よりも下方に位置しているため、電気掃除機１から吸込具１０及び延長管９が取り外された場合、集塵部６よりも下方に突出した状態となる。この状態では、電気掃除機１は、ハンディ型掃除機として機能する。
【００２９】
次に、図４及び図５を参照しながら、電気掃除機システム１００が備える電気掃除機スタンド２０の構成について説明する。電気掃除機スタンド２０は、電気掃除機１を直立した状態で載置するためのものである。図４に示すように、電気掃除機スタンド２０は、台座部２１、支柱部２２、載置部２６及び傾斜部２７を備えている。
【００３０】
台座部２１は、上面視において、例えば、正方形又は長方形を呈している。台座部２１は、前面視及び後面視における幅が吸込具１０の長手方向の寸法と同一となるように形成されている。なお、ここでは、台座部２１の形状が上面視で正方形又は長方形とする例を挙げて説明したが、これに限定されるものではない。台座部２１の形状は、他に例えば上面視で楕円形又は円形等でもよい。すなわち、台座部２１の形状は適宜に選択可能である。
【００３１】
支柱部２２は、台座部２１の上方に形成されている。支柱部２２は、台座部２１の上面から鉛直上向きに直立して形成されている。支柱部２２は、ハンドル７と同等の太さの柱状の部材である。支柱部２２の軸は、台座部２１の左右方向における中心に位置している。つまり、支柱部２２は、前面視及び後面視において、電気掃除機スタンド２０の中央に位置している。
【００３２】
載置部２６は、台座部２１の一端側に設けられる。すなわち、載置部２６は、台座部２１の一端から、支柱部２２とは反対側に広がって設けられている。載置部２６の底部は、床面に接している。載置部２６の上面は、台座部２１の支柱部２２が設けられている上面よりも、吸込具１０の厚み以上低い位置に配置される。
【００３３】
傾斜部２７は、載置部２６の台座部２１とは反対側に設けられている。傾斜部２７の底部は、床面に接している。傾斜部２７は、載置部２６から離れるに従って次第に低くなるように傾斜している。傾斜部２７と載置部２６との接続部分においては、傾斜部２７の上面と載置部２６の上面とが滑らかに連続している。
【００３４】
図４及び図５に示すように、台座部２１には、せり出し部２８が設けられている。せり出し部２８は、台座部２１の載置部２６側の側面の上端部から載置部２６の側へと突出して設けられている。
【００３５】
支柱部２２は、支持部２３、集塵部支持部２４及び接続口受け部２５を備えている。支持部２３は、支柱部２２の上端部に設けられている。集塵部支持部２４は、支柱部２２の上下方向の中途の位置に固定されている。集塵部支持部２４は、支柱部２２の側面における載置部２６及び傾斜部２７がある側に配置されている。集塵部支持部２４は、例えば、筐体２及び集塵部６と直径が等しい円筒形状を呈している。接続口受け部２５は、集塵部支持部２４の側面における載置部２６及び傾斜部２７がある側に配置されている。
【００３６】
図４及び図５に示すように、電気掃除機スタンド２０は、回転ブラシ清掃部３０を備えている。載置部２６の上面は取付面部２９ａである。傾斜部２７の上面は取付面部２９ｂである。以降においては、これらの取付面部２９ａ及び取付面部２９ｂを総称して取付面部２９と呼ぶ。回転ブラシ清掃部３０は、この取付面部２９に取り付けられている。回転ブラシ清掃部３０は、後述するように、載置部２６に載置された吸込具１０の回転ブラシ４５を、吸込具１０の底面側から清掃する清掃手段である。
【００３７】
この実施の形態１においては、回転ブラシ清掃部３０は、植毛部３１を備えている。植毛部３１は、回転ブラシ清掃部３０の上面に設けられている。植毛部３１は、例えば、短毛の傾斜パイルからなる。載置部２６の植毛部３１の傾斜パイルは、回転ブラシ清掃部３０の上面から突出し、かつ、台座部２１とは反対側を向くように傾倒されている。また、傾斜部２７の植毛部３１の傾斜パイルは、回転ブラシ清掃部３０の上面から突出し、かつ、台座部２１側を向くように傾倒されている。
【００３８】
次に、図６を参照しながら、電気掃除機スタンド２０に電気掃除機１を載置した状態の電気掃除機システム１００について説明する。以上のように構成された支柱部２２は、電気掃除機１を直立した状態で支持するためのものである。また、台座部２１は、支柱部２２を支持している。そして、載置部２６は、上側に電気掃除機１の吸込具１０が載置されるためのものである。
【００３９】
すなわち、同図に示すように、電気掃除機１の前側が電気掃除機スタンド２０の支柱部２２の方へと向けた状態で、電気掃除機１は電気掃除機スタンド２０に載置される。電気掃除機１が電気掃除機スタンド２０に載置された状態において、載置部２６の上面には、吸込具１０が載置される。また、この状態において、支持部２３の上面には、ハンドル７が載置される。そして、この状態において、集塵部支持部２４の上面には、集塵部６が載置される。さらに、この状態において、接続口受け部２５は、接続口８を含む筒状部５の下端側の一部と延長管９の上端側の一部とを支持している。
【００４０】
このようにして、支柱部２２は、吸込具１０の前側が台座部２１の方を向いた状態の電気掃除機１を支持可能に設けられている。そして、回転ブラシ清掃部３０は、支柱部２２が電気掃除機１を支持し、吸込具１０が載置部２６の上面に載置された状態にある吸込具１０の底部開口部４３の下に少なくとも配置される位置に設けられる。
【００４１】
以上のように構成された電気掃除機システム１００の電気掃除機１においては、前述したように、電気掃除機１の使用時に回転ブラシ４５が回転して塵埃等を掻き上げる。そして、回転ブラシ４５の回転により塵埃等が掻き上げられた際に、回転ブラシ４５に糸くず、繊維状のもの、髪の毛等が絡んで巻き付く。このような状態になった場合には、埃、綿埃等が回転ブラシ４５の先端に付着して塊となり取れなくなることがある。
【００４２】
これに対し、以上のように構成された電気掃除機システム１００の電気掃除機スタンド２０は、回転ブラシ４５に付着した埃等を除去することができる。以下、この発明の実施の形態１に係る電気掃除機スタンド２０による回転ブラシ４５に付着した埃等の除去について説明する。
【００４３】
例えば電気掃除機１の使用を終えて、使用者が電気掃除機１を電気掃除機スタンド２０に載置しようとする際、まず、使用者は、電気掃除機１のハンドル７を持ったまま、吸込具１０の前側を電気掃除機スタンド２０に向けた状態で、吸込具１０の前側から吸込具１０を傾斜部２７に乗り上げる。すると、吸込具１０は、傾斜部２７の上面の回転ブラシ清掃部３０の上を通過する。吸込具１０の回転ブラシ４５が傾斜部２７の回転ブラシ清掃部３０の上を通過する際、回転ブラシ４５と回転ブラシ清掃部３０の植毛部３１とが接触する。したがって、植毛部３１が回転ブラシ４５に付着した埃等を除去する。
【００４４】
また、使用者が電気掃除機１をさらに押すと、吸込具１０は、傾斜部２７を完全に通過して、載置部２６の上面に載置される。この状態から、使用者が電気掃除機１を前方に立てていくと、支持部２３の上面にハンドル７が載置され、集塵部支持部２４の上面に集塵部６が載置され、接続口受け部２５に接続口８を含む筒状部５の下端側の一部と延長管９の上端側の一部とが支持されて、図６に示す状態になる。
【００４５】
この図６に示す状態においては、前述したように、載置部２６の回転ブラシ清掃部３０が、吸込具１０の底部開口部４３の下に配置されている。したがって、この状態では、今度は、載置部２６の回転ブラシ清掃部３０が回転ブラシ４５と接触している。そこで、この状態で使用者が電気掃除機１を動作させると、回転ブラシ４５が回転ブラシ清掃部３０の植毛部３１と接触した状態で回転することにより、回転ブラシ清掃部３０に付着した埃等を除去することができる。さらに、この際、除去された埃等を吸込口４９から吸引することができる。
【００４６】
このようにして、傾斜部２７の回転ブラシ清掃部３０では回転ブラシ４５に付着した埃等を全て除去し切れなかった場合であっても、載置部２６の回転ブラシ清掃部３０で回転ブラシ４５に付着した残りの埃等を除去することができる。したがって、使用者が電気掃除機１を持ち上げることなく電気掃除機スタンド２０に電気掃除機１を置くことができ、かつ、この電気掃除機スタンド２０に電気掃除機１を置く動作により、吸込具１０の回転ブラシ４５を清掃することができる、又は、吸込具１０の回転ブラシ４５を清掃可能な状態にすることができる。
【００４７】
ここで、台座部２１のせり出し部２８は、載置部２６に載置された吸込具１０の上面の上方側に配置される。このため、載置部２６の上側に載置された吸込具１０が、上方すなわち載置部２６から離れる方向に移動しようとすると、吸込具１０がせり出し部２８に当たり、その移動が妨げられる。すなわち、せり出し部２８は、載置部２６に載置された吸込具１０が載置部２６から離れる方向へと移動することを規制する移動規制手段を構成している。
【００４８】
回転ブラシ清掃部３０が回転ブラシ４５の下側から接触した状態で回転ブラシ４５が回転すると、回転ブラシ４５と回転ブラシ清掃部３０との間の抵抗により、回転ブラシ４５は、回転ブラシ清掃部３０から離れる方向、つまり上方へと移動しようとする。回転ブラシ４５が回転ブラシ清掃部３０から離れてしまうと、回転ブラシ４５に付着した埃等を除去する回転ブラシ清掃部３０の作用が低減してしまう。
【００４９】
これに対し、この発明の実施の形態１に係る電気掃除機スタンド２０では、移動規制手段としてのせり出し部２８により、載置部２６に載置された吸込具１０の載置部２６から離れる方向への移動は規制される。したがって、回転ブラシ清掃部３０による回転ブラシ４５の清掃時に、回転ブラシ４５及び吸込具１０が、回転ブラシ清掃部３０から離れる方向へと移動することが抑制される。このため、回転ブラシ清掃部３０による回転ブラシ４５の清掃時に、回転ブラシ清掃部３０と回転ブラシ４５とが適切に接触した状態を維持することができる。よって、回転ブラシ４５に付着した埃の除去効果を安定して発揮できる。
【００５０】
以上の説明からも分かるように、載置部２６からせり出し部２８までの高さは、吸込具１０が上方に移動しても回転ブラシ清掃部３０が回転ブラシ４５との接触を維持できるように調整されている。つまり、載置部２６に載置された吸込具１０の上面とせり出し部２８との間には、隙間があってもかまわない。ただし、この隙間は、吸込具１０の上面がせり出し部２８に当たるまで吸込具１０が上方に移動した際であっても、突出位置の回転ブラシ清掃部３０が回転ブラシ４５に接触し続けられる距離に設定される。
【００５１】
この実施の形態１に係る電気掃除機スタンド２０では、電気掃除機１が電気掃除機スタンド２０に載置された状態において、傾斜部２７の回転ブラシ清掃部３０が吸込具１０で隠されることがないように載置部２６の寸法が調整されている。このため、使用者は、傾斜部２７の回転ブラシ清掃部３０に残っている埃等に容易に気付くことができ、傾斜部２７の回転ブラシ清掃部３０の清掃時期を容易に判断することが可能である。
【００５２】
なお、電気掃除機スタンド２０は、電気掃除機１の充電装置を兼ねる充電スタンドであってもよい。電気掃除機スタンド２０が充電スタンドである場合、電気掃除機スタンド２０は、図示しない電源ケーブルを有している。そして、例えば、電気掃除機スタンド２０の支持部２３には、給電部が設けられる。給電部は、電源ケーブルと電気的に接続された端子である。また、電気掃除機１側には、ハンドル７の前側の下端部に受電部が設けられる。受電部は、電気掃除機１に内蔵されたバッテリー４の充電回路と電気的に接続された端子である。
【００５３】
そして、電気掃除機１が電気掃除機スタンド２０に載置されると、電気掃除機１側の受電部と、電気掃除機スタンド２０の給電部とが電気的に接続される。こうして、電気掃除機スタンド２０の電源ケーブルが外部電源に接続され、電気掃除機１が電気掃除機スタンド２０に載置されることで、電気掃除機１に設けられたバッテリー４が充電される。すなわち、電気掃除機スタンド２０は、支柱部２２が電気掃除機１を支持した状態で電気掃除機１のバッテリー４を充電する充電手段を備えている。
【００５４】
このように電気掃除機スタンド２０が充電手段を備えている場合、電気掃除機スタンド２０に電気掃除機１が載置されてバッテリー４が充電されているときに回転ブラシ４５を回転させることで、載置部２６の回転ブラシ清掃部３０による回転ブラシ４５の清掃によるバッテリー４の電力消費を抑制することができる。なお、電気掃除機スタンド２０の充電手段がバッテリー４を充電中で、かつ、吸込具１０の底面が載置部２６の上面に接触している場合に、自動的に回転ブラシ４５を回転させて、載置部２６の回転ブラシ清掃部３０による回転ブラシ４５の清掃を行うようにしてもよい。
【００５５】
回転ブラシ４５に埃等が付着すると、回転ブラシ４５が回転しにくくなる。その結果、吸込具１０の自走力が低下し、操作性が悪化する。また、回転ブラシ４５及び吸込具１０による被清掃面の塵埃の除去能力も低下する。さらに、回転ブラシ４５への負荷が大きくなり、回転ブラシ４５及び回転ブラシ４５を駆動するモータの一方又は両方の寿命が短くなる。さらには、回転ブラシ４５の植毛が塑性変形することもある。
【００５６】
これに対し、この発明の実施の形態１に係る電気掃除機スタンド２０によれば、以上のように構成された回転ブラシ清掃部３０を備えたことで、回転ブラシ４５への埃等の付着を解消し、このような問題の発生を抑制することができる。つまり、電気掃除機１の高い操作性及び高い塵埃の除去性能を維持できる。また、植毛をはじめとする回転ブラシ４５及びモータの長寿命化を図ることもできる。
【００５７】
なお、以上においては、回転ブラシ清掃部３０を、載置部２６と傾斜部２７の両方に設けた場合について説明した。しかし、回転ブラシ清掃部３０は、載置部２６と傾斜部２７の両方に必ず設けなければならないというものではない。すなわち、回転ブラシ清掃部３０は、載置部２６と傾斜部２７の少なくとも一方にあればよい。
【００５８】
また、例えば、吸込具１０は、回転ブラシ４５に代えて、又は、回転ブラシ４５とともに、吸込具１０の底面に形成されたブラシを備えているものであってもよい。以上のように構成された電気掃除機スタンド２０の回転ブラシ清掃部３０によれば、吸込具１０の底面に形成されたブラシについても清掃することができる。したがって、電気掃除機スタンド２０に設置される電気掃除機１の吸込具１０は、回転ブラシ４５を備えていないものであってもよい。
【００５９】
さらに、回転ブラシ清掃部３０を、電気掃除機スタンド２０の載置部２６及び傾斜部２７の一方又は両方の取付面部２９に着脱可能に取り付けるようにしてもよい。このようにすることで、回転ブラシ清掃部３０の交換、清掃等を容易に行うことができる。
【００６０】
実施の形態２．
図７から図９は、この発明の実施の形態２に係るもので、図７は電気掃除機スタンドの要部を拡大した斜視図、図８は電気掃除機スタンドの清掃手段を拡大した斜視図、図９は電気掃除機スタンドに吸込具を載置した状態の要部を拡大して示す断面図である。
【００６１】
ここで説明する実施の形態２は、前述した実施の形態１の構成において、回転ブラシ清掃部３０が、植毛部３１に代えて鋸歯状面部３２を備えたものである。以下、この実施の形態２に係る電気掃除機スタンドについて、実施の形態１との相違点を中心に説明する。
【００６２】
図７に示すように、この実施の形態２に係る電気掃除機スタンド２０も、実施の形態１と同様に回転ブラシ清掃部３０を備えている。実施の形態１と同じく、回転ブラシ清掃部３０は、載置部２６と傾斜部２７のそれぞれに設けられている。すなわち、図９に示すように、回転ブラシ清掃部３０は、載置部２６の上面の取付面部２９と、傾斜部２７の上面の取付面部２９とに取り付けられている。
【００６３】
この実施の形態２においては、回転ブラシ清掃部３０は、鋸歯状面部３２を備えている。図８に示すように、鋸歯状面部３２は、回転ブラシ清掃部３０の上面に形成されている。
【００６４】
この実施の形態２においても、使用者が電気掃除機１を電気掃除機スタンド２０に載置しようとする際、まず、吸込具１０が傾斜部２７の上面の回転ブラシ清掃部３０の上を通過する。吸込具１０の回転ブラシ４５が傾斜部２７の回転ブラシ清掃部３０の上を通過する際、回転ブラシ４５と回転ブラシ清掃部３０の鋸歯状面部３２とが接触する。そして、鋸歯状面部３２が回転ブラシ４５に付着した埃等を除去する。
【００６５】
また、図９に示すように、電気掃除機１が電気掃除機スタンド２０に載置された状態では、載置部２６の回転ブラシ清掃部３０が、吸込具１０の底部開口部４３の下に配置されている。したがって、この状態では、今度は、載置部２６の回転ブラシ清掃部３０が回転ブラシ４５と接触している。そこで、この状態で使用者が電気掃除機１を動作させると、回転ブラシ４５が回転ブラシ清掃部３０の鋸歯状面部３２と接触した状態で回転することにより、回転ブラシ清掃部３０に付着した埃等を除去することができる。さらに、この際、除去された埃等を吸込口４９から吸引することができる。
【００６６】
他の構成については実施の形態１と同様であり、ここでは、その説明を省略する。以上のように構成された電気掃除機スタンド２０においても、実施の形態１と同様の効果を奏することができる。
【００６７】
実施の形態３．
図１０から図１２は、この発明の実施の形態３に係るもので、図１０は電気掃除機スタンドの要部を拡大した斜視図、図１１は電気掃除機スタンドの清掃手段を拡大した斜視図、図１２は電気掃除機スタンドに吸込具を載置した状態の要部を拡大して示す断面図である。
【００６８】
ここで説明する実施の形態３は、前述した実施の形態１の構成において、回転ブラシ清掃部３０が、植毛部３１に代えて櫛歯状面部３３を備えたものである。以下、この実施の形態３に係る電気掃除機スタンドについて、実施の形態１との相違点を中心に説明する。
【００６９】
図１０に示すように、この実施の形態３に係る電気掃除機スタンド２０も、実施の形態１と同様に回転ブラシ清掃部３０を備えている。実施の形態１と同じく、回転ブラシ清掃部３０は、載置部２６と傾斜部２７のそれぞれに設けられている。すなわち、図１２に示すように、回転ブラシ清掃部３０は、載置部２６の上面の取付面部２９と、傾斜部２７の上面の取付面部２９とに取り付けられている。
【００７０】
この実施の形態３においては、回転ブラシ清掃部３０は、櫛歯状面部３３を備えている。図１１に示すように、櫛歯状面部３３は、回転ブラシ清掃部３０の上面に形成されている。櫛歯状面部３３は、上方に突出した複数の突起が等間隔で配置されて構成されている。
【００７１】
この実施の形態３においても、使用者が電気掃除機１を電気掃除機スタンド２０に載置しようとする際、まず、吸込具１０が傾斜部２７の上面の回転ブラシ清掃部３０の上を通過する。吸込具１０の回転ブラシ４５が傾斜部２７の回転ブラシ清掃部３０の上を通過する際、回転ブラシ４５と回転ブラシ清掃部３０の櫛歯状面部３３とが接触する。そして、櫛歯状面部３３が回転ブラシ４５に付着した埃等を除去する。
【００７２】
また、図１２に示すように、電気掃除機１が電気掃除機スタンド２０に載置された状態では、載置部２６の回転ブラシ清掃部３０が、吸込具１０の底部開口部４３の下に配置されている。したがって、この状態では、今度は、載置部２６の回転ブラシ清掃部３０が回転ブラシ４５と接触している。そこで、この状態で使用者が電気掃除機１を動作させると、回転ブラシ４５が回転ブラシ清掃部３０の櫛歯状面部３３と接触した状態で回転することにより、回転ブラシ清掃部３０に付着した埃等を除去することができる。さらに、この際、除去された埃等を吸込口４９から吸引することができる。
【００７３】
他の構成については実施の形態１と同様であり、ここでは、その説明を省略する。以上のように構成された電気掃除機スタンド２０においても、実施の形態１と同様の効果を奏することができる。
【００７４】
実施の形態４．
図１３から図１６は、この発明の実施の形態４に係るもので、図１３は電気掃除機スタンドの要部を拡大した斜視図、図１４は電気掃除機スタンドの清掃手段を拡大した斜視図、図１５は電気掃除機スタンドに吸込具を載置した状態の要部を拡大して示す断面図、図１６は電気掃除機スタンドに吸込具を載置した状態の要部の別例を拡大して示す断面図である。
【００７５】
ここで説明する実施の形態４は、前述した実施の形態１の構成において、回転ブラシ清掃部３０が、植毛部３１に代えてブラシ清掃用ローラ３４を備えたものである。以下、この実施の形態４に係る電気掃除機スタンドについて、実施の形態１との相違点を中心に説明する。
【００７６】
図１３に示すように、この実施の形態４に係る電気掃除機スタンド２０も、実施の形態１と同様に回転ブラシ清掃部３０を備えている。実施の形態１と同じく、回転ブラシ清掃部３０は、載置部２６と傾斜部２７のそれぞれに設けられている。すなわち、図９に示すように、回転ブラシ清掃部３０は、載置部２６の上面の取付面部２９と、傾斜部２７の上面の取付面部２９とに取り付けられている。
【００７７】
この実施の形態４においては、回転ブラシ清掃部３０は、ブラシ清掃用ローラ３４を備えている。載置部２６の回転ブラシ清掃部３０は、１又は複数のブラシ清掃用ローラ３４を備える。同様に、傾斜部２７の回転ブラシ清掃部３０も、１又は複数のブラシ清掃用ローラ３４を備える。それぞれのブラシ清掃用ローラ３４は、取付面部２９に対して回転可能に取り付けられている。
【００７８】
図１４に示すように、１つのブラシ清掃用ローラ３４は、ローラ基部３４ａ及びローラ部３４ｂとから構成されている。ローラ基部３４ａは、例えば、硬質の樹脂材料からなる棒状の部材である。ローラ部３４ｂは、例えば、ローラ基部３４ａよりは軟質の樹脂材料からなる中空棒状の部材である。ローラ部３４ｂの外周面には、凹凸が形成されている。ローラ部３４ｂの内側にローラ基部３４ａが挿入されることで、ブラシ清掃用ローラ３４となる。
【００７９】
この実施の形態４においても、使用者が電気掃除機１を電気掃除機スタンド２０に載置しようとする際、まず、吸込具１０が傾斜部２７の上面の回転ブラシ清掃部３０の上を通過する。吸込具１０の回転ブラシ４５が傾斜部２７の回転ブラシ清掃部３０の上を通過する際、回転ブラシ４５と回転ブラシ清掃部３０のブラシ清掃用ローラ３４とが接触する。そして、ブラシ清掃用ローラ３４が回転ブラシ４５に付着した埃等を除去する。
【００８０】
また、図１５に示すように、電気掃除機１が電気掃除機スタンド２０に載置された状態では、載置部２６の回転ブラシ清掃部３０が、吸込具１０の底部開口部４３の下に配置されている。したがって、この状態では、今度は、載置部２６の回転ブラシ清掃部３０が回転ブラシ４５と接触している。そこで、この状態で使用者が電気掃除機１を動作させると、回転ブラシ４５が回転ブラシ清掃部３０のブラシ清掃用ローラ３４と接触した状態で回転することにより、回転ブラシ清掃部３０に付着した埃等を除去することができる。さらに、この際、除去された埃等を吸込口４９から吸引することができる。
【００８１】
他の構成については実施の形態１と同様であり、ここでは、その説明を省略する。以上のように構成された電気掃除機スタンド２０においても、実施の形態１と同様の効果を奏することができる。さらに、それぞれのブラシ清掃用ローラ３４は、載置部２６及び傾斜部２７に対して回転可能である。このため、吸込具１０を傾斜部２７上から載置部２６上に載置する際に、ブラシ清掃用ローラ３４が転がって抵抗を低減し、吸込具１０を容易かつ円滑に載置部２６上に載置することが可能である。
【００８２】
なお、図１６に示すように、各ブラシ清掃用ローラ３４を、載置部２６及び傾斜部２７のそれぞれの取付面部２９に対して、上下方向に移動できるようにしてもよい。各ブラシ清掃用ローラ３４は、取付面部２９に対して予め設定された範囲内で上下方向に移動可能とする。また、各ブラシ清掃用ローラ３４は、例えばバネ等の弾性体により上方向すなわち取付面部２９から突出する方向に付勢されている。このようにすることで、ブラシ清掃用ローラ３４を回転ブラシ４５に対して、確実かつ十分に接触させることができる。
【００８３】
実施の形態５．
図１７から図１９は、この発明の実施の形態５に係るもので、図１７は電気掃除機スタンドの要部を拡大した斜視図、図１８は電気掃除機スタンドの清掃手段を拡大した斜視図、図１９は電気掃除機スタンドに吸込具を載置した状態の要部を拡大して示す断面図である。
【００８４】
ここで説明する実施の形態５は、前述した実施の形態１の構成において、回転ブラシ清掃部３０が、植毛部３１に代えてブラシ清掃用ブラシ３５を備えたものである。以下、この実施の形態５に係る電気掃除機スタンドについて、実施の形態１との相違点を中心に説明する。
【００８５】
図１７に示すように、この実施の形態５に係る電気掃除機スタンド２０も、実施の形態１と同様に回転ブラシ清掃部３０を備えている。実施の形態１と同じく、回転ブラシ清掃部３０は、載置部２６と傾斜部２７のそれぞれに設けられている。すなわち、図１９に示すように、回転ブラシ清掃部３０は、載置部２６の上面の取付面部２９と、傾斜部２７の上面の取付面部２９とに取り付けられている。
【００８６】
この実施の形態５においては、回転ブラシ清掃部３０は、ブラシ清掃用ブラシ３５を備えている。載置部２６の回転ブラシ清掃部３０は、１又は複数のブラシ清掃用ブラシ３５を備える。同様に、傾斜部２７の回転ブラシ清掃部３０も、１又は複数のブラシ清掃用ブラシ３５を備える。それぞれのブラシ清掃用ブラシ３５は、取付面部２９に対して回転可能に取り付けられている。
【００８７】
図１８に示すように、１つのブラシ清掃用ブラシ３５は、ブラシ基部３５ａ及びブラシ部３５ｂとから構成されている。ブラシ基部３５ａは、例えば、硬質の樹脂材料からなる棒状の部材である。ブラシ基部３５ａの外面には、長手方向に沿って複数の溝部が形成されている。ブラシ部３５ｂは、例えば、ブラシ基部３５ａよりは軟質の樹脂材料からなる植毛を集合した部材である。ブラシ部３５ｂの根本部分をブラシ基部３５ａの各溝部に挿入することで、ブラシ清掃用ブラシ３５となる。
【００８８】
なお、１つのブラシ清掃用ブラシ３５に複数のブラシ部３５ｂを設ける場合、それぞれのブラシ部３５ｂの素材、形状等を異ならせてもよい。具体的に例えば、あるブラシ部３５ｂをポリアミド系合成樹脂の植毛とし、他のブラシ部３５ｂを軟質材のブレードとする。また、ポリアミド系合成樹脂の植毛について、硬さ、密度、毛丈長さ等をそれぞれ調整し、ブラシ部３５ｂ毎に種類の異なる植毛としてもよい。さらに、回転ブラシ清掃部３０が複数のブラシ清掃用ブラシ３５を備える場合には、ブラシ清掃用ブラシ３５毎に素材、形状等が異なるようにしてもよい。ブラシ部３５ｂ、ブラシ清掃用ブラシ３５の種類を変えることで、回転ブラシ４５に付着した様々な種類の塵埃の除去に対応することができる。
【００８９】
この実施の形態５においても、使用者が電気掃除機１を電気掃除機スタンド２０に載置しようとする際、まず、吸込具１０が傾斜部２７の上面の回転ブラシ清掃部３０の上を通過する。吸込具１０の回転ブラシ４５が傾斜部２７の回転ブラシ清掃部３０の上を通過する際、回転ブラシ４５と回転ブラシ清掃部３０のブラシ清掃用ブラシ３５とが接触する。そして、ブラシ清掃用ブラシ３５が回転ブラシ４５に付着した埃等を除去する。
【００９０】
また、図１９に示すように、電気掃除機１が電気掃除機スタンド２０に載置された状態では、載置部２６の回転ブラシ清掃部３０が、吸込具１０の底部開口部４３の下に配置されている。したがって、この状態では、今度は、載置部２６の回転ブラシ清掃部３０が回転ブラシ４５と接触している。そこで、この状態で使用者が電気掃除機１を動作させると、回転ブラシ４５が回転ブラシ清掃部３０のブラシ清掃用ブラシ３５と接触した状態で回転することにより、回転ブラシ清掃部３０に付着した埃等を除去することができる。さらに、この際、除去された埃等を吸込口４９から吸引することができる。
【００９１】
他の構成については実施の形態１と同様であり、ここでは、その説明を省略する。以上のように構成された電気掃除機スタンド２０においても、実施の形態１と同様の効果を奏することができる。さらに、それぞれのブラシ清掃用ブラシ３５は、載置部２６及び傾斜部２７に対して回転可能である。このため、吸込具１０を傾斜部２７上から載置部２６上に載置する際に、ブラシ清掃用ブラシ３５が転がって抵抗を低減し、吸込具１０を容易かつ円滑に載置部２６上に載置することが可能である。
【００９２】
実施の形態６．
図２０から図２２は、この発明の実施の形態６に係るもので、図２０は電気掃除機スタンドの要部を拡大した斜視図、図２１は電気掃除機スタンドの清掃手段を拡大した斜視図、図２２は電気掃除機スタンドに吸込具を載置した状態の要部を拡大して示す断面図である。
【００９３】
ここで説明する実施の形態６は、前述した実施の形態１の構成において、回転ブラシ清掃部３０が、植毛部３１に代えてブラシ清掃用シート３６を備えたものである。以下、この実施の形態６に係る電気掃除機スタンドについて、実施の形態１との相違点を中心に説明する。
【００９４】
図２０に示すように、この実施の形態６に係る電気掃除機スタンド２０も、実施の形態１と同様に回転ブラシ清掃部３０を備えている。実施の形態１と同じく、回転ブラシ清掃部３０は、載置部２６と傾斜部２７のそれぞれに設けられている。すなわち、図２２に示すように、回転ブラシ清掃部３０は、載置部２６の上面の取付面部２９と、傾斜部２７の上面の取付面部２９とに取り付けられている。
【００９５】
この実施の形態６においては、回転ブラシ清掃部３０は、ブラシ清掃用シート３６を備えている。図２１に示すように、ブラシ清掃用シート３６は、回転ブラシ清掃部３０の上面に設けられている。ブラシ清掃用シート３６は、例えば、粘着面が表側になるように多重に積層された粘着シートである。
【００９６】
この実施の形態６においても、使用者が電気掃除機１を電気掃除機スタンド２０に載置しようとする際、まず、吸込具１０が傾斜部２７の上面の回転ブラシ清掃部３０の上を通過する。吸込具１０の回転ブラシ４５が傾斜部２７の回転ブラシ清掃部３０の上を通過する際、回転ブラシ４５と回転ブラシ清掃部３０のブラシ清掃用シート３６とが接触する。そして、ブラシ清掃用シート３６の粘着力により回転ブラシ４５に付着した埃等を除去する。
【００９７】
また、図２２に示すように、電気掃除機１が電気掃除機スタンド２０に載置された状態では、載置部２６の回転ブラシ清掃部３０が、吸込具１０の底部開口部４３の下に配置されている。したがって、この状態では、今度は、載置部２６の回転ブラシ清掃部３０が回転ブラシ４５と接触している。したがって、この状態でも、ブラシ清掃用シート３６の粘着力により回転ブラシ清掃部３０に付着した埃等を除去することができる。
【００９８】
ここで、図２２に示すように、各ブラシ清掃用シート３６を、載置部２６及び傾斜部２７のそれぞれの取付面部２９に対して、上下方向に移動できるようにしてもよい。各ブラシ清掃用シート３６は、取付面部２９に対して予め設定された範囲内で上下方向に移動可能とする。そして、各ブラシ清掃用シート３６の下側には、弾性体３７がそれぞれ設けられている。ここでは、各弾性体３７は例えば押しバネである。弾性体３７は、ブラシ清掃用シート３６を上方向すなわち取付面部２９から突出する方向に付勢する。このようにすることで、ブラシ清掃用シート３６を回転ブラシ４５に対して、確実かつ十分に接触させることができる。
【００９９】
他の構成については実施の形態１と同様であり、ここでは、その説明を省略する。以上のように構成された電気掃除機スタンド２０においても、実施の形態１と同様の効果を奏することができる。また、ブラシ清掃用シート３６の粘着力が低下した場合には、一番表面の粘着シートを剥がすことで容易に粘着力を復活させることができ、メンテナンス性にも優れる。
【０１００】
実施の形態７．
図２３から図２５は、この発明の実施の形態７に係るもので、図２３は電気掃除機スタンドの要部を拡大した斜視図、図２４は電気掃除機スタンドの清掃手段を拡大した斜視図、図２５は電気掃除機スタンドに吸込具を載置した状態の要部を拡大して示す断面図である。
【０１０１】
ここで説明する実施の形態７は、前述した実施の形態１から実施の形態６のいずれかの構成において、回転ブラシ清掃部３０を、載置部２６から傾斜部２７にわたって連続して設けるようにしたものである。以下、この実施の形態７に係る電気掃除機スタンドについて、実施の形態１の構成を元にした場合を例に挙げ、実施の形態１との相違点を中心に説明する。
【０１０２】
図２３及び図２５に示すように、この実施の形態７に係る電気掃除機スタンド２０においては、載置部２６から傾斜部２７にわたる連続した上面が取付面部２９となっている。そして、回転ブラシ清掃部３０は、載置部２６の上面から傾斜部２７の上面にわたって連続して設けられている。したがって、回転ブラシ清掃部３０は、図２４に示すように、連続した１枚のシート状を呈する。
【０１０３】
ここで、図２５に示すように、回転ブラシ清掃部３０の載置部２６に配置された部分の台座部２１側から傾斜部２７側までの長さを、Ｌ１とする。また、回転ブラシ清掃部３０の傾斜部２７に配置された部分の台座部２１側から反対側の端部までの長さを、Ｌ２とするすると、回転ブラシ清掃部３０の載置部２６から傾斜部２７にわたる長さは、Ｌ１＋Ｌ２となる。一方、図２５中において太い一点鎖線で示す回転ブラシ４５の周長をＰとする。そして、この実施の形態７においては、回転ブラシ清掃部３０の載置部２６から傾斜部２７にわたる長さ（Ｌ１＋Ｌ２）は、少なくとも回転ブラシ４５の周長Ｐ以上である。
【０１０４】
このようにすることで、吸込具１０を傾斜部２７から載置部２６までの回転ブラシ清掃部３０の上を移動させることで、回転ブラシ４５は少なくとも１回転する。したがって、使用者が電気掃除機１を電気掃除機スタンド２０に載置する１回の動作で、回転ブラシ４５の全周について回転ブラシ清掃部３０により清掃することができる。
なお、他の構成については実施の形態１から実施の形態６のいずれかと同様であり、ここでは、その説明を省略する。
【０１０５】
以上のように構成された電気掃除機システム１００においても、実施の形態１から実施の形態６のいずれかと同様の効果を奏することができる。さらに、前述したように、使用者が電気掃除機１を電気掃除機スタンド２０に載置する１回の動作で、回転ブラシ４５の全周について回転ブラシ清掃部３０により清掃することが可能である。
【０１０６】
なお、以上で説明した各実施の形態においては、載置部２６と傾斜部２７とに同種の回転ブラシ清掃部３０を用いた場合について説明した。しかしながら、これらは同種である必要はない。載置部２６と傾斜部２７とに異なる実施の形態で説明した異種の回転ブラシ清掃部３０を用いてもよい。
【０１０７】
具体的に例えば、載置部２６の回転ブラシ清掃部３０には、実施の形態１から実施の形態３の植毛部３１、鋸歯状面部３２又は櫛歯状面部３３を用いる。そして、傾斜部２７の回転ブラシ清掃部３０には、実施の形態６で説明したブラシ清掃用シート３６を用いる。ブラシ清掃用シート３６上で回転ブラシ４５を回転させることは、耐久性の観点等から好ましくないところ、載置部２６の回転ブラシ清掃部３０に櫛歯状面部３３等を用いることで、耐久性を気にせずに回転ブラシ清掃部３０の上で回転ブラシ４５を回転させることができる。
【０１０８】
また、例えば、特に傾斜部２７の回転ブラシ清掃部３０にブラシ清掃用ローラ３４又はブラシ清掃用ブラシ３５を用いることで吸込具１０を傾斜部２７に沿って登らせる際に必要な力を低減し、軽い力で楽に載置部２６に吸込具１０を載置することが可能である。
【符号の説明】
【０１０９】
１    電気掃除機
２    筐体
３    電動送風機
４    バッテリー
５    筒状部
６    集塵部
７    ハンドル
８    接続口
９    延長管
１０    吸込具
１１    後端面
１２    排気口
１３    接続部
１４    関節部
２０    電気掃除機スタンド
２１    台座部
２２    支柱部
２３    支持部
２４    集塵部支持部
２５    接続口受け部
２６    載置部
２７    傾斜部
２８    せり出し部
２９ａ  取付面部
２９ｂ  取付面部
２９    取付面部
３０    回転ブラシ清掃部
３１    植毛部
３２    鋸歯状面部
３３    櫛歯状面部
３４    ブラシ清掃用ローラ
３４ａ  ローラ基部
３４ｂ  ローラ部
３５    ブラシ清掃用ブラシ
３５ａ  ブラシ基部
３５ｂ  ブラシ部
３６    ブラシ清掃用シート
３７    弾性体
４１    下ケース
４２    上ケース
４３    底部開口部
４４    吸込室
４５    回転ブラシ
４６    軸受
４７    回転ブラシ保持部
４８    モータが収納される部位
４９    吸込口
５０    車輪
１００    電気掃除機システム
【図１】
2018149162.tif 000003
【図２】
2018149162.tif 000004
【図３】
2018149162.tif 000005
【図４】
2018149162.tif 000006
【図５】
2018149162.tif 000007
【図６】
2018149162.tif 000008
【図７】
2018149162.tif 000009
【図８】
2018149162.tif 000010
【図９】
2018149162.tif 000011
【図１０】
2018149162.tif 000012
【図１１】
2018149162.tif 000013
【図１２】
2018149162.tif 000014
【図１３】
2018149162.tif 000015
【図１４】
2018149162.tif 000016
【図１５】
2018149162.tif 000017
【図１６】
2018149162.tif 000018
【図１７】
2018149162.tif 000019
【図１８】
2018149162.tif 000020
【図１９】
2018149162.tif 000021
【図２０】
2018149162.tif 000022
【図２１】
2018149162.tif 000023
【図２２】
2018149162.tif 000024
【図２３】
2018149162.tif 000025
【図２４】
2018149162.tif 000026
【図２５】
2018149162.tif 000027